(57)【要約】      （修正有）【課題】多層のワイヤリングの混成によって構成されるワイヤリング層からなるマット体構造を採用し、軽量で、弾性が良く、快適性に優れ、弾性疲労が発生しにくく、耐久性に優れ、耐用年数が長く、異臭がなくて、安全で環境に優しく、構造がシンプルな本ワイヤリングマットレスを提供する。【解決手段】太さの異なるワイヤリングを組み合わせた一体型のワイヤリングマットレスに関し、第１のワイヤリング層１と第２のワイヤリング層２とマットレスカバー３とを含み、第１のワイヤリング層は、幾つかの第１のワイヤリング１１の混成によって構成され、第２のワイヤリング層は、幾つかの第２のワイヤリング２１の混成によって構成され、第２のワイヤリング層は、第１のワイヤリング層の表面に重なって設置されて、当該第１のワイヤリング層とワイヤリングマットレスコア材５を構成し、ワイヤリングマットレスコア材は、マットレスカバー３中に嵌れ、第１のワイヤリングの断面線径は第２のワイヤリングの断面線径より大きい。【選択図】図１
0003223314.tif 000002
【実用新案登録請求の範囲】
【請求項１】
第１のワイヤリング層（１）と、第２のワイヤリング層（２）と、マットレスカバー（３）とを含み、ここで、第１のワイヤリング層（１）は、複数の第１のワイヤリング（１１）で混成して構成され、第２のワイヤリング層（２）は、複数の第２のワイヤリング（２１）で混成して構成され、第２のワイヤリング層（２）は、第１のワイヤリング層（１）の表面に重ねて設置されて、当該第１のワイヤリング層（１）とワイヤリングマットレスコア材（５）を構成し、当該ワイヤリングマットレスコア材（５）は、マットレスカバー（３）中にカバー配置され、第１のワイヤリング（１１）の断面線径は第２のワイヤリング（２１）の断面線径よりも大きいこと、を特徴とする太さの異なるワイヤリングを組み合わせた一体型のワイヤリングマットレス。
【請求項２】
第３のワイヤリング層（４）を含み、第３のワイヤリング層（４）は、複数の第３のワイヤリング（４１）で混成して構成され、当該第３のワイヤリング層（４）は第１のワイヤリング層（１）の底面に重ねて設置されて、第１のワイヤリング層（１）と第２のワイヤリング層（２）とともにワイヤリングマットレスコア材（５）を構成し、当該ワイヤリングマットレスコア材（５）がマットレスカバー（３）中にカバー配置され、第１のワイヤリング（１１）の断面線径は第３のワイヤリング（４１）の断面線径よりも大きいこと、を特徴とする請求項１に記載の太さの異なるワイヤリングを組み合わせた一体型のワイヤリングマットレス。
【請求項３】
第１のワイヤリング（１１）は、断面線径Ｗが１．５ｍｍ〜６ｍｍの中空構造のワイヤリング体であり、第１のワイヤリング層（１）の厚さＨは２ｃｍ〜１５ｃｍであること、を特徴とする請求項１に記載の太さの異なるワイヤリングを組み合わせた一体型のワイヤリングマットレス。
【請求項４】
第２のワイヤリング（２１）、第３のワイヤリング（４１）は、それぞれの断面線径Ｗ’が１ｍｍ〜２．５ｍｍの中実構造のワイヤリング体であり、第２のワイヤリング層（２）と第３のワイヤリング層（４）の厚さは２ｃｍ〜１５ｃｍであること、を特徴とする請求項２に記載の太さの異なるワイヤリングを組み合わせた一体型のワイヤリングマットレス。
【請求項５】
第１のワイヤリング（１１）、第２のワイヤリング（２１）と第３のワイヤリング（４１）はＰＯＥワイヤリング体又はＰＥワイヤリング体であること、を特徴とする請求項２に記載の太さの異なるワイヤリングを組み合わせた一体型のワイヤリングマットレス。
【考案の詳細な説明】
【技術分野】
【０００１】
本考案は、座布団やマットレス技術分野に関し、特にスポンジやスプリング以外のものによって構成されたマットである。
【背景技術】
【０００２】
現在、よく見られている座布団やマットレスは、フルスポンジ製か、スプリング製か、ラテックス製のものである。フルスポンジ製である場合は、一定期間使うとスポンジの反発力が悪くなって、凹みが生じやすい。スプリング製である場合は、一定期間使うとスプリングの疲労損傷によって、表面に凹凸が生じて硬さが不均等になる問題もある。ラテックス製である場合は、コストが高く、重くて、ゴムのにおいが強い。したがって、従来のマットレスや座布団は耐久性、耐用年数、制造コストなどの面で限界性があるため、安価で使いやすい座布団やマットレス製品を購入して使用することができない。
【考案の概要】
【考案が解決しようとする課題】
【０００３】
本考案は、上記の問題点と欠点を解消するために、太さの異なるワイヤリングを組み合わせた一体型のワイヤリングマットレスを提供することを目的とする。当該ワイヤリングマットレスは、軽量で、弾性が良く、快適性に優れ、弾性疲労が発生しにくく、耐久性に優れ、耐用年数が長く、異臭がなくて、安全で環境に優しく、構造がシンプルで、実現しやすいなどの利点を有する、多層のワイヤリングでワイヤリング層を混成して構成されるマットの構造である。
【課題を解決するための手段】
【０００４】
本考案の具体的な技術的解決手段は、以下のように実現される。
【０００５】
太さの異なるワイヤリングを組み合わせた一体型のワイヤリングマットレスであって、第１のワイヤリング層と、第２のワイヤリング層と、マットレスカバーとを含み、そのうち、第１のワイヤリング層は、幾つかの第１のワイヤリングの混成によって構成され、第２のワイヤリング層は、幾つかの第２のワイヤリングの混成によって構成され、前記第２のワイヤリング層は、第１のワイヤリング層の表面に重なって設置されて、当該第１のワイヤリング層とワイヤリングマットレスコア材を構成し、当該ワイヤリングマットレスコア材は、マットレスカバー中に嵌れ、前記第１のワイヤリングの断面線径は第２のワイヤリングの断面線径より大きい。
【０００６】
さまざまなサイズの選択肢を求める人々のニーズに応えるため、本考案は、さらに第３のワイヤリング層を含む。前記第３のワイヤリング層は、幾つかの第３のワイヤリングの混成によって構成され、当該第３のワイヤリング層は第１のワイヤリング層の底面に重なって設置されて、前記第１のワイヤリング層と第２のワイヤリング層とともにワイヤリングマットレスコア材を構成し、当該ワイヤリングマットレスコア材がマットレスカバー中に嵌れ、前記第１のワイヤリングの断面線径は第３のワイヤリングの断面線径より大きい。
【０００７】
また、前記第１のワイヤリングは、断面線径が１．５ｍｍ〜６ｍｍの中空構造のワイヤリング体であり、前記第１のワイヤリング層の厚さは２ｃｍ〜１５ｃｍである。
【０００８】
さらに、前記第２のワイヤリング、第３のワイヤリングは、それぞれの断面線径が１ｍｍ〜２．５ｍｍの中実構造のワイヤリング体であり、前記第２のワイヤリング層と第３のワイヤリング層の厚さは２ｃｍ〜１５ｃｍである。
【考案の効果】
【０００９】
第２のワイヤリングの混成によって構成される幾つかの伸張隙間がある第２のワイヤリング層と、第１のワイヤリングの混成によって構成される幾つかの伸張隙間がある第１のワイヤリング層を重ねて構成したワイヤリングマットレスコア材を採用するため、形成されたワイヤリングマットレスコア材は、軽量で、弾性が良く、快適性に優れ、弾性疲労が発生しにくく、耐久性に優れ、耐用年数が長く、異臭がなくて、安全で環境に優しく、構造がシンプルで、実現しやすく、機械設備で直接加工することができるので、生産効率が高く、生産コストが低い。さらに、第１のワイヤリングの断面線径を第２のワイヤリングの断面線径より大きくすることで、表面層にある第２のワイヤリング層の質を比較的柔らかく、快適性に優れ、人体の乗り或いは乗り眠りの需要を満たせ、底層にある第１のワイヤリング層は、マット全体に強い支持力を持たせ、全体の弾性はより穏やかで、バランスが良く、比較的良い担持性能と反弾性能を形成する。本考案の技術手段は、座布団、マットレス、椅子、ソファなどの製品に幅広く活用できる。
【図面の簡単な説明】
【００１０】
【図１】本考案の方法１の局所構造を示した概略図である。
【図２】本考案の方法２の局所構造を示した概略図である。
【図３】本考案の第１のワイヤリングの断面構造を示した概略図である。
【図４】本考案の第２のワイヤリングの断面構造を示した概略図である。
【図５】本考案の第１のワイヤリング層の局所を示した実物参考図である。
【考案を実施するための形態】
【００１１】
図１に示すように、本考案に係る太さの異なるワイヤリングを組み合わせた一体型のワイヤリングマットレスは、第１のワイヤリング層１と、第２のワイヤリング層２と、マットレスカバー３とを含み、そのうち、第１のワイヤリング層１は、幾つかの第１のワイヤリング１１の混成によって構成され、第２のワイヤリング層２は、幾つかの第２のワイヤリング２１の混成によって構成され、第２のワイヤリング層２は、第１のワイヤリング層１の表面に重なって設置されて、当該第１のワイヤリング層１とワイヤリングマットレスコア材５を構成し、当該ワイヤリングマットレスコア材５は、マットレスカバー３中に嵌れ、第１のワイヤリング１１の断面線径は第２のワイヤリング２１の断面線径より大きい。以上の構造設計案により形成されたワイヤリングマットレスコア材は、軽量で、弾性が良く、快適性に優れ、弾性疲労が発生しにくく、耐久性に優れ、耐用年数が長く、しかも異臭がなくて、安全で環境に優しく、構造がシンプルで、実現しやすく、機械設備で直接加工できるので、生産効率が高く、生産コストが低い。さらに、第１のワイヤリングの断面線径を第２のワイヤリングの断面線径より大きくすることによって、表面層にある第２のワイヤリング層の質を比較的柔らかく、快適性に優れ、人体の乗り或いは乗り眠りの需要を満たせ、底層にある第１のワイヤリング層は、マット全体に強い支持力を持たせ、全体の弾性はより穏やかで、バランスが良く、比較的良い担持性能と反弾性能を形成する。
【００１２】
前記方法に基づき、さまざまなサイズの選択肢を求める人々のニーズに応えるため、図２に示すように、本考案はさらに第３のワイヤリング層４を含んでもよい。第３のワイヤリング層４は、複数の第３のワイヤリング４１の混成によって構成され、当該第３のワイヤリング層４は第１のワイヤリング層１の底面に重なって設置されて、第１のワイヤリング層１と第２のワイヤリング層２とともにワイヤリングマットレスコア材５を構成し、当該ワイヤリングマットレスコア材５がマットレスカバー３中に嵌れ、第１のワイヤリング１１の断面線径は第３のワイヤリング４１の断面線径より大きい。第３のワイヤリング層４を設けることによって、マット全体を表面と裏面との両面使えることができ、人々の異なるニーズに応えられる。
【００１３】
第１のワイヤリング層１がコスト管理、支持力と弾性、耐用年数などの面で優れたバランスをとるためには、図３に示すように、第１のワイヤリング１１は中空構造のワイヤリング体であり、用いた第１のワイヤリング１１の断面線径Ｗを一般に１．５ｍｍ〜６ｍｍに、第１のワイヤリング層１の厚さＨを２ｃｍ〜１５ｃｍにすることが望ましい。
【００１４】
同じく、第２のワイヤリング層２、第３のワイヤリング層４も快適性、コストの面で優れたバランスをとるために、図４に示すように、第２のワイヤリング２１、第３のワイヤリング４１はそれぞれ中実構造のワイヤリング体であり、当該第２のワイヤリング２１、第３のワイヤリング４１の断面線径Ｗ’を１ｍｍ〜２．５ｍｍに、第２のワイヤリング層２、第３のワイヤリング層４の厚さＬを２ｃｍ〜１５ｃｍにすることがが望ましい。
【００１５】
図５に示すように、第１のワイヤリング１１、第２のワイヤリング２１と第３のワイヤリング４１は一般にＰＯＥ又はＰＥ材料で加工されたＰＯＥワイヤリング体又はＰＥワイヤリング体を採用するものとする。
【図１】
0003223314.tif 000003
【図２】
0003223314.tif 000004
【図３】
0003223314.tif 000005
【図４】
0003223314.tif 000006
【図５】
0003223314.tif 000007